(57)【要約】      （修正有）【課題】壁に近づけて設置することにより、使用空間を節約し、使用後、マッサージチェアが元に戻り、壁に寄せて設置されることを自動で実現するマッサージチェアを提供する。【解決手段】第１接続プレートの一端は第１ボール重力スライド２１の前端と連結され、別の一端は第２ボール重力スライド２２の末端と連結される。第２接続プレートの一端は第１ボール重力スライド２１の末端と連結され、別の一端は第２ボール重力スライド２２の前端と連結される。第１接続プレートおよび第２接続プレートの中部はヒンジ接続される。さらに壁に取り付けられるガイド１１を含み、ボール重力スライドのガイドは、ガイド内に上下に摺動することができる可動止め具１２が取り付けられ、マッサージチェアの背もたれ１３の背面に、ガイドの可動止め具１２とヒンジ接続する固定止め具１５が設置される。【選択図】図１
0003178262.tif 000002
【実用新案登録請求の範囲】
【請求項１】
マッサージチェア本体（１４）およびマッサージチェア本体（１４）にヒンジ接続される背もたれ（１３）を含むマッサージチェアであって、マッサージチェア本体（１４）の下部に摺動装置が取り付けられ、摺動装置がマッサージチェアの下側に設置される第１ボール重力スライド（２１）、第２ボール重力スライド（２２）、第１接続プレート（４１）および第２接続プレート（４２）を含み、
第１接続プレート（４１）の一端が第１ボール重力スライド（２１）の前端と連結され、別の一端が第２ボール重力スライド（２２）の末端と連結され、第２接続プレート（４２）の一端が第１ボール重力スライド（２１）の末端と連結され、別の一端が第２ボール重力スライド（２２）の前端と連結され、第１接続プレートおよび第２接続プレートの中部がヒンジ接続され、
壁に取り付けられるガイド（１１）をさらに含み、ガイド（１１）にボールスライドが設けられ、ガイド内に上下に摺動することができる可動止め具（１２）が取り付けられ、マッサージチェアの背もたれ（１３）の背面に、可動止め具（１２）とヒンジ接続する固定止め具（１５）が設置される、
マッサージチェア。
【請求項２】
第１ボール重力スライド（２１）の下面に第１滑り止めプレート（３１）が設置され、第２ボール重力スライド（２２）の下面に第２滑り止めプレート（３２）が設置される、請求項１に記載のマッサージチェア。
【考案の詳細な説明】
【技術分野】
【０００１】
本考案はマッサージチェアに関し、特に電動背もたれ装置を有するマッサージチェアに関する。
【背景技術】
【０００２】
現在、市場で販売されているマッサージチェアにはいくつかのタイプがある。その大きさによって、小型マッサージチェア、中型マッサージチェアおよび大型マッサージチェアに分けられ、その機能によって、簡易実用型、中級多機能型および高級デラックス型に分けられる。その動作原理は、マイクロコンピュータによってマッサージデバイスがコントロールされ、人の腕、背中、腰、脚に対して、それぞれスイング、指圧、つまみ、もみなど複数種類の方法により動的マッサージが行われる。
【０００３】
既存のマッサージチェアの欠陥は、使用するときに、マッサージチェアを壁に寄せて設置することができないことである。マッサージチェアを使用するには、マッサージチェアの背もたれを倒すために、適当な空間を必要とする。マッサージチェアを使用するとき、脚部のマッサージ装置が上昇するため、マッサージチェアの前方にも、上昇した脚部のマッサージ装置が位置する一定の空間が必要である。したがって、マッサージチェアの設置により比較的大きい空間が占用され、マッサージチェアを部屋の中に置くには、部屋の中央に置くことしかできない。マッサージチェアを置く部屋が比較的小さい場合、その他の家具を設置するのに不便が生じる。さらにマッサージチェア全体の重量は比較的重く、移動に不便である。
【考案の概要】
【考案が解決しようとする課題】
【０００４】
本考案が解決しようとする技術的問題として、既存技術において、マッサージチェアを壁に寄せて設置することができず、比較的大きい空間を占用するなどの欠陥を有する。これに対して、マッサージチェアの補助機能を提供する。
【課題を解決するための手段】
【０００５】
本考案でその技術的問題を解決するのに採用した技術案として、マッサージチェア本体およびマッサージチェア本体にヒンジ接続される背もたれを含む、マッサージチェア相互作用装置を構成する。マッサージチェア本体の下部に摺動装置が取り付けられ、この摺動装置は、マッサージチェアの下側に設置される第１ボール重力スライド、第２ボール重力スライド、第１接続プレートおよび第２接続プレートを含む。第１接続プレートの一端は第１ボール重力スライドの前端と連結され、別の一端は第２ボール重力スライドの末端と連結される。第２接続プレートの一端は第１ボール重力スライドの末端と連結され、別の一端は第２ボール重力スライドの前端と連結される。第１接続プレートおよび第２接続プレートの中部はヒンジ接続される。さらに壁に取り付けられるガイドを含み、ボール重力スライドのガイドは、ガイド内に上下に摺動することができる可動止め具が取り付けられる。マッサージチェアの背もたれの背面に、ガイドの可動止め具とヒンジ接続する固定止め具が設置される。
【０００６】
本考案のマッサージチェアにおいて、第１ボール重力スライドの下面に第１滑り止めプレートが設置され、第２ボール重力スライドの下面に第２滑り止めプレートが設置される。
【考案の効果】
【０００７】
本考案のマッサージチェアの有益な効果は、次の通りである。可動止め具１２をマッサージチェアの背もたれ１３と接続する。マッサージチェアを使用するとき、マッサージチェア本体１４はボール重力スライド上を自動的に前後で摺動する。使用する際に、マッサージチェアを起動すると、マッサージチェア内部のモーターが、背もたれ１３を背もたれおよびマッサージチェア本体１４のヒンジ接続軸を中心にして動かす。壁のマッサージチェアに対する反作用力により、マッサージチェアは第１ボール重力スライドおよび第２ボール重力スライド上で、自動的に摺動する。使用後、マッサージチェアの背もたれ１３が上昇すると、マッサージチェアの背もたれ１３がマッサージチェア本体１４を牽引し、マッサージチェア本体１４をボール重力スライド上で壁面に向かって接近させ、マッサージチェアが自動的に壁に寄って設置されることを実現する。
【０００８】
以下に、添付図および実施例を組み合わせて、本考案についてさらに説明を行う。
【図面の簡単な説明】
【０００９】
【図１】図１は、本考案の実施例における、マッサージチェアおよび摺動装置の構造概要図である。
【図２】図２は、本考案の実施例における、摺動装置の構造概要図である。
【図３】図３は、本考案の実施例のマッサージチェアにおける、可動止め具および固定止め具の拡大図である。
【図４】図４は、本考案の実施例のマッサージチェアにおける、可動止め具および固定止め具を接続した俯瞰図である。
【図５】図５は、本考案の実施例のマッサージチェアにおける、可動止め具および固定止め具を接続する前の概要図である。
【図６】図６は、本考案の実施例のマッサージチェアにおける、可動止め具および固定止め具を接続した後の概要図である。
【考案を実施するための形態】
【００１０】
本考案の目的、技術案および利点をさらにはっきりと理解してもらうため、以下に添付図および実施例を組み合わせて、本考案についてさらに詳細な説明を行う。ここで述べる具体的実施例は、本考案を説明するためだけのものであり、本考案を限定するものではないことを理解すべきである。
【実施例】
【００１１】
図１に示すように、本考案のマッサージチェアは、ボール重力スライドおよびボール重力スライドと接続される接続プレートを含む。ボール重力スライドの機能は、ボール重力スライドの上面に設置されるマッサージチェアを、ボール重力スライドの上面で摺動させることである。マッサージチェア本体およびボール重力スライドの接触方法は、マッサージチェア本体およびボール重力スライド面を接続させると、マッサージチェア本体が直接ボール重力スライドのガイド上で摺動する。ボール重力スライドは、第１ボール重力スライド２１および第２ボール重力スライド２２に分けられる。取り付けるとき、接続プレートをマッサージチェア本体のベースプレートの下側に設置する。
【００１２】
図２に示すように、接続プレートの機能は、第１ボール重力スライド２１および第２ボール重力スライド２２を接続することである。本実施例において、接続プレートは、第１接続プレート４１および第２接続プレート４２に分けられる。第１接続プレート４１の両端を、それぞれ第１ボール重力スライド２１の前端、第２ボール重力スライド２２の末端と連結し、第２接続プレート４２の両端を、それぞれ第１ボール重力スライド２１の末端、第２ボール重力スライド２２の前端と連結する。第１接続プレートおよび第２接続プレートは「Ｘ」型に接続される。第１接続プレート４１および第２接続プレート４２が交差する場所は、可動接続が採用される。本実施例においてはヒンジ接続が採用され、第１接続プレート４１、第２接続プレート４２は、それぞれヒンジ接続軸を中心にして動くことができる。第１ボール重力スライド２１および第２ボール重力スライド２２の自由度は次の部材、つまり、第１接続プレート４１、第２接続プレート４２およびヒンジ接続軸の制限を受けるため、第１ボール重力スライド２１および第２ボール重力スライド２２は、左側または右側に移動することしかできない。
【００１３】
上記案の有益な効果は、次の通りである。第1接続プレート４１、第２接続プレート４２は「Ｘ」型に接続され、さらに第１接続プレート４１、第２接続プレート４２はヒンジ接続の方法を採用して接続されるため、第１ボール重力スライド２１および第２ボール重力スライド２２は、左側または右側に移動することしかできない。このように、第１ボール重力スライド２１および第２ボール重力スライド２２の間の距離を調節することができ、異なる大きさのマッサージチェア本体１４に適応される。
【００１４】
第１ボール重力スライド２１および第２ボール重力スライド２２の下面に滑り止め材料が設けられ、本実施例においてはラバーシートが選択される。その機能は２つあり、１つ目は衝撃吸収であり、マッサージチェアのマッサージ過程に生じる余計な振動を吸収する。２つ目は、滑り止めの機能である。本考案をマッサージチェアの摺動装置に直接使用し、床に設置する場合、マッサージチェアの本体がボール重力スライド上で前に移動するとき、床が比較的滑らかであると、ボール重力スライドおよび床の間に相対的なずれが生じることがあるため、床およびボール重力スライドの間に滑り止めプレートが取り付けられる。１つの滑り止めプレートをボール重力スライドの下面に設置してもよく、滑り止めプレートをそれぞれ設置してもよい。本実施例においては、２つの滑り止めプレートを採用した。すなわち、第１滑り止めプレート３１および第２滑り止めプレート３２であり、その面積は、それぞれ第１ボール重力スライド２１、第２ボール重力スライド２２と互いに適応する。
【００１５】
上記技術案の有益な効果として、ボール重力スライドの下面に滑り止めプレートを設けることにより、マッサージチェアを使用するとき、ボール重力スライドおよび床の間に相対的なずれが生じるのを防止する。
【００１６】
図３に示すように、本考案はマッサージチェアの摺動装置に使用され、さらに壁に取り付けられるガイド１１を含み、ガイド１１にボールスライドが設けられる。摺動溝内に可動止め具１２が取り付けられ、可動止め具１２は摺動溝に沿って上下に摺動することができる。マッサージチェアの背もたれ１３の背面に固定止め具１５が設置され、可動止め具１２および固定止め具１５はヒンジ接続される。
【００１７】
上記技術案の有益な効果として、可動止め具１２およびマッサージチェアの背もたれ１３の固定止め具１５がヒンジ接続されており、マッサージチェアを使用するとき、マッサージチェア本体１４が自動的にガイド上を前後に摺動する。
【００１８】
本考案のマッサージチェアの使用方法は以下の通りである。
【００１９】
図４に示すように、使用する前に、可動止め具１２および固定止め具１５がヒンジ接続される。
【００２０】
図５〜６に示すように、マッサージチェアを起動すると、マッサージチェア内部のモーターが、背もたれ１３を、背もたれおよびマッサージチェア本体１４のヒンジ接続軸を中心にして動かす。壁のマッサージチェアに対する反作用力により、マッサージチェアは第１ボール重力スライド２１および第２ボール重力スライド２２上で、自動的に摺動する。具体的には、壁にガイド１１が取り付けられ、可動止め具１２がガイド１１の摺動溝内に取り付けられ、可動止め具１２および背もたれの固定止め具１５がヒンジ接続される。マッサージチェアの背もたれ１３が下降するとき、背もたれ１３がマッサージチェア本体１４とヒンジ接続したヒンジ接続軸を中心にして動く。背もたれ１３が可動止め具１２を動かし、摺動溝内で下向きに摺動させると同時に、可動止め具１２が壁面との反作用力により、マッサージチェア本体１４を壁面から離れた方向に向かって押し動かし摺動させる。同じ原理で、マッサージチェア内部に取り付けられたモーターが、マッサージチェアの背もたれ１３を上昇するようにコントロールするとき、可動止め具１２は摺動溝内で上向きに摺動し、マッサージチェアの背もたれ１３を牽引して、壁面に接近させる。マッサージチェアの背もたれ１３がマッサージチェア本体１４を牽引し、マッサージチェア本体１４をボール重力スライド上で壁面に向かって接近させ、マッサージチェアが自動的に壁に寄って設置されることを実現した。
【００２１】
理解すべきことは、当分野の技術者は、上記の説明に基づき改善または変更を行うことができ、これらの改善および変更はすべて、本考案の実用新案登録請求の範囲の保護範囲に属することである。
【符号の説明】
【００２２】
１１    ガイド
１２    可動止め具
１３    背もたれ
１４    マッサージチェア本体
１５    固定止め具
２１    第１ボール重力スライド
２２    第２ボール重力スライド
３１    第１滑り止めプレート
３２    第２滑り止めプレート
４１    第１接続プレート
４２    第２接続プレート
【図１】
0003178262.tif 000003
【図２】
0003178262.tif 000004
【図３】
0003178262.tif 000005
【図４】
0003178262.tif 000006
【図５】
0003178262.tif 000007
【図６】
0003178262.tif 000008